(57)【特許請求の範囲】
【請求項１】
複数の光源を制御するリモコン装置において、
前記光源の照度を徐々に低下させる入眠モード又は前記光源の照度を徐々に増加させる覚醒モードのいずれかを前記光源毎に選択できる選択スイッチと、
同時又は所定時間の経過後から入眠モードを開始させる入眠モードスイッチと、
所定の時刻から覚醒モードを開始させる覚醒モードスイッチと、
前記光源を点消灯させる入切設定又は点消灯に加えて前記入眠モードスイッチや前記覚醒モードスイッチによって前記光源の照度を変更させる調光設定のいずれかを前記光源毎に選択できる切換スイッチと、を具備し、
前記複数の光源のうち前記切換スイッチを入切設定とした光源が点灯している場合、前記複数の光源に含まれる全ての光源が消灯している場合、または前記複数の光源のうち前記切換スイッチを調光設定として前記選択スイッチを入眠モードとした光源が全て消灯している場合、
前記複数の光源のうち前記切換スイッチが調光設定であって前記選択スイッチを入眠モードとした光源を、前記入眠モードスイッチの入操作と同時又は入操作から所定時間の経過後に最大照度で点灯させ、その後、入眠モードを開始する、としたことを特徴とするリモコン装置。
【請求項２】
前記複数の光源のうち前記切換スイッチを調光設定として前記選択スイッチを入眠モードとした光源と前記切換スイッチを調光設定として前記選択スイッチを覚醒モードとした光源のみがそれぞれ点灯している場合、または前記複数の光源のうち前記切換スイッチを調光設定として前記選択スイッチを入眠モードとした光源のみが点灯している場合は、
前記切換スイッチが調光設定であって前記選択スイッチを入眠モードとした光源の照度を維持した状態で、前記入眠モードスイッチの入操作と同時又は入操作から所定時間の経過後に入眠モードを開始する、としたことを特徴とする請求項１に記載のリモコン装置。
【請求項３】
前記複数の光源のうち前記切換スイッチを調光設定とした全ての光源において前記選択スイッチを覚醒モードとしている場合、または前記複数の光源に含まれる全ての光源において前記切換スイッチを入切設定としている場合は、
前記入眠モードスイッチの入操作と同時又は入操作から所定時間の経過後に消灯される、としたことを特徴とする請求項１または請求項２に記載のリモコン装置。
【発明の詳細な説明】
【技術分野】
【０００１】
本発明は、照明機器のリモコン装置の技術に関する。
【背景技術】
【０００２】
従来より、室内に設けられた光源の照度を徐々に低下させることによって、快適に眠りに導く照明機器が公知となっている（例えば特許文献１参照。）。また、起床予定時刻よりも前から光源の照度を徐々に増加させることによって、快適に目覚めに導く照明機器も公知となっている（例えば特許文献２参照。）。
【０００３】
このような照明機器は、調光装置を用いて電圧を調節し、光源の照度を変更させるものであるため、例えば電圧を調節すると放電不良が生じるとして照度を変更させることができない仕様の蛍光灯については、調光制御の対象とすることはできない。そのため、複数の光源が一つの室内に設けられ、且つ、照度を変更させることができる光源と、照度を変更させることができない光源と、が混在する場合においては、徐々に照度を変更するとした光源があったとしても、照度を変更させることができない光源の点消灯によって室内の明るさが急変することとなる。
【０００４】
このように、室内の明るさが急変する場合においては、快適に眠りに導くことや快適に目覚めに導くことを妨げるとして問題となる場合があった。特に、入眠時に室内の明るさが急変する場合においては、快適に眠りに導くことが困難になるとして大きな問題点とされてきた。
【先行技術文献】
【特許文献】
【０００５】
【特許文献１】特開２００２−２００１７１号公報
【特許文献２】特許第３７６７３１９号公報
【発明の概要】
【発明が解決しようとする課題】
【０００６】
本発明はかかる問題を解決すべくなされたものであり、入眠時に室内の明るさが急変することを防止して、快適に眠りに導くことを可能とする技術を提供することを目的としている。
【課題を解決するための手段】
【０００７】
本発明の解決しようとする課題は以上の如くであり、次にこの課題を解決するための手段を説明する。
【０００８】
即ち、請求項１においては、複数の光源を制御するリモコン装置において、
前記光源の照度を徐々に低下させる入眠モード又は前記光源の照度を徐々に増加させる覚醒モードのいずれかを前記光源毎に選択できる選択スイッチと、
同時又は所定時間の経過後から入眠モードを開始させる入眠モードスイッチと、
所定の時刻から覚醒モードを開始させる覚醒モードスイッチと、
前記光源を点消灯させる入切設定又は点消灯に加えて前記入眠モードスイッチや前記覚醒モードスイッチによって前記光源の照度を変更させる調光設定のいずれかを前記光源毎に選択できる切換スイッチと、を具備し、
前記複数の光源のうち前記切換スイッチを入切設定とした光源が点灯している場合、前記複数の光源に含まれる全ての光源が消灯している場合、または前記複数の光源のうち前記切換スイッチを調光設定として前記選択スイッチを入眠モードとした光源が全て消灯している場合、
前記複数の光源のうち前記切換スイッチが調光設定であって前記選択スイッチを入眠モードとした光源を、前記入眠モードスイッチの入操作と同時又は入操作から所定時間の経過後に最大照度で点灯させ、その後、入眠モードを開始する、としたものである。
【０００９】
請求項２においては、請求項１に記載のリモコン装置において、前記複数の光源のうち前記切換スイッチを調光設定として前記選択スイッチを入眠モードとした光源と前記切換スイッチを調光設定として前記選択スイッチを覚醒モードとした光源のみがそれぞれ点灯している場合、または前記複数の光源のうち前記切換スイッチを調光設定として前記選択スイッチを入眠モードとした光源のみが点灯している場合は、
前記切換スイッチが調光設定であって前記選択スイッチを入眠モードとした光源の照度を維持した状態で、前記入眠モードスイッチの入操作と同時又は入操作から所定時間の経過後に入眠モードを開始する、としたものである。
【００１０】
請求項３においては、請求項１又は請求項２に記載のリモコン装置において、前記複数の光源のうち前記切換スイッチを調光設定とした全ての光源において前記選択スイッチを覚醒モードとしている場合、または前記複数の光源に含まれる全ての光源において前記切換スイッチを入切設定としている場合は、
前記入眠モードスイッチの入操作と同時又は入操作から所定時間の経過後に消灯される、としたものである。
【発明の効果】
【００１１】
本発明の効果として、以下に示すような効果を奏する。
【００１２】
請求項１に記載の発明によれば、入眠モードスイッチの入操作と同時又は入操作から所定時間の経過後に調光設定、且つ、入眠モードとした光源の照度を最大として入眠モードを開始できる。これにより、入眠時に室内の明るさが急変することを防止でき、ユーザーを快適に眠りに導くことが可能となる。
【００１３】
請求項２に記載の発明によれば、調光設定、且つ、入眠モードとした光源の照度をそのまま維持した状態で、入眠モードスイッチの入操作と同時又は入操作から所定時間の経過後に入眠モードを開始できる。これにより、入眠時に室内の明るさが急変することを防止でき、ユーザーを快適に眠りに導くことが可能となる。
【００１４】
請求項３に記載の発明によれば、入眠モードスイッチの入操作と同時又は入操作から所定の時間が経過するまで光源の照度を一定に維持できる。これにより、入眠時に室内の明るさが急変することを防止でき、ユーザーを快適に眠りに導くことが可能となる。
【図面の簡単な説明】
【００１５】
【図１】リモコン装置１００の構成を示すブロック図。
【図２】リモコン装置１００の外観を示す図。
【図３】各光源５１・５２・５３の照度変化を示す図。
【図４】各光源５１・５２・５３の照度変化を示す図。
【図５】各光源５１・５２・５３の照度変化を示す図。
【図６】各光源５１・５２・５３の照度変化を示す図。
【図７】各光源５１・５２・５３の照度変化を示す図。
【図８】各光源５１・５２・５３の照度変化を示す図。
【図９】各光源５１・５２・５３の照度変化を示す図。
【図１０】各光源５１・５２・５３の照度変化を示す図。
【発明を実施するための形態】
【００１６】
図１、図２を用いて本発明の一実施形態に係るリモコン装置１００について説明する。図１は、リモコン装置１００の構成を示すブロック図であり、図２は、該リモコン装置１００の外観を示す図である。なお、リモコン装置１００と接続された光源５１・５２・５３は、照度を変更させることができるＬＥＤ灯や白熱灯であるとして説明を行なう。
【００１７】
図１、図２に示すように、本実施形態に係るリモコン装置１００は、主に各スイッチＳＷ１１・・・と、インターフェイス部２と、制御部３と、各回路部ＣＲ４１・・・と、で構成されている。
【００１８】
入切スイッチＳＷ１１は、リモコン装置１００に電気的に接続された光源５１・５２・５３を点灯又は消灯させるものである。本実施形態において入切スイッチＳＷ１１は、ユーザーが入状態と切状態とを自在に変更できる。
【００１９】
選択スイッチＳＷ１２は、光源５１・５２・５３の照度を徐々に低下させる入眠モードとするか、光源５１・５２・５３の照度を徐々に増加させる覚醒モードとするか、を選択するものである。本実施形態において選択スイッチＳＷ１２は、ユーザーが入眠モードと覚醒モードとを自在に変更できる。
【００２０】
なお、本実施形態に係るリモコン装置１００は、三つの選択スイッチＳＷ１２ａ、ＳＷ１２ｂ、ＳＷ１２ｃを備えており、光源５１・５２・５３毎にそれぞれ異なる設定を可能としている。例えば光源５１に対応する選択スイッチＳＷ１２ａは入眠モードとし、光源５２に対応する選択スイッチＳＷ１２ｂは覚醒モードとできる。
【００２１】
入眠モードスイッチＳＷ１３は、所定時間の経過後から入眠モードを開始させるものである。本実施形態において入眠モードスイッチＳＷ１３は、ユーザーが入状態と切状態とを自在に変更できる。
【００２２】
覚醒モードスイッチＳＷ１４は、所定の時刻から覚醒モードを開始させるものである。本実施形態において覚醒モードスイッチＳＷ１４は、ユーザーが入状態と切状態とを自在に変更できる。
【００２３】
切換スイッチＳＷ１５は、入切スイッチＳＷ１１によって光源５１・５２・５３を点消灯させる入切設定とするか、入切スイッチＳＷ１１による点消灯に加えて入眠モードスイッチＳＷ１３や覚醒モードスイッチＳＷ１４によって光源５１・５２・５３の照度を変更させる調光設定とするか、を選択するものである。本実施形態において切換スイッチＳＷ１５は、ユーザーが入切設定と調光設定とを自在に変更できる。
【００２４】
なお、本実施形態に係るリモコン装置１００は、三つの切換スイッチＳＷ１５ａ、ＳＷ１５ｂ、ＳＷ１５ｃを備えており、光源５１・５２・５３毎にそれぞれ異なる設定を可能としている。例えば光源５１に対応する切換スイッチＳＷ１５ａは調光設定とし、光源５２に対応する切換スイッチＳＷ１５ｂは入切設定とできる。
【００２５】
インターフェイス部２は、入切スイッチＳＷ１１等の各スイッチＳＷ１１・・・と制御部３とを接続するものである。インターフェイス部２は、各スイッチＳＷ１１・・・を操作することによって示されたユーザーの意思を制御部３に入力する。
【００２６】
制御部３は、ＣＰＵ（Ｃｅｎｔｒａｌ  Ｐｒｏｃｅｓｓｉｎｇ  Ｕｎｉｔ；中央演算処理装置）３１やＲＡＭ（Ｒａｎｄｏｍ  Ａｃｃｅｓｓ  Ｍｅｍｏｒｙ；ランダムアクセスメモリ）３２、ＲＯＭ（Ｒｅａｄ−Ｏｎｌｙ  Ｍｅｍｏｒｙ；読み出し専用メモリ）３３等から構成される。ＣＰＵ３１は、ＲＯＭ３３に記憶された各種の制御プログラムに従って一連の演算処理を行ない、各回路部ＣＲ４１・・・へ制御信号を送信する。また、ＣＰＵ３１は、計時機能部３１Ｔを備えており、これによってタイマー機能を実現している。なお、ＲＡＭ３２は、ＣＰＵ３１の演算結果を一時的に記憶するものである。
【００２７】
各回路部ＣＲ４１・・・は、ＣＰＵ３１からの制御信号に基づいて光源５１・５２・５３を点灯又は消灯させるとともに、該光源５１・５２・５３の照度を変更可能とするものである。各回路部ＣＲ４１・・・には、調光装置が組み込まれており、該調光装置によって光源５１・５２・５３の照度が変更される。調光装置は、ＳＣＲ（Ｓｉｌｉｃｏｎ  ｃｏｎｔｒｏｌｌｅｄ  ｒｅｃｔｉｆｉｅｒ；サイリスタ）等の電力制御素子を用いて位相制御回路を構成しており、いわゆるトリガ電流のタイミングを変更することによって平均電圧の調節を行なう。これにより、各回路部ＣＲ４１・・・は、光源５１・５２・５３の照度を変更するのである。
【００２８】
以上がリモコン装置１００の構成であるが、以下に入眠モードならびに覚醒モードについて詳細に説明する。図３（ａ）は光源５１の照度変化を示す図であり、図３（ｂ）は光源５２の照度変化を示す図である。そして、図３（ｃ）は光源５３の照度変化を示す図である。
【００２９】
入眠モードとは、所定時間の経過後から光源の照度を徐々に低下させることによって、快適に眠りに導く調光制御機能をいう。一例として光源５１が入眠モードに設定されている場合を想定すると、光源５１の照度は、時刻ｔ１から徐々に低下を初めて時刻ｔ２で消灯される（図３（ａ）参照。）。
【００３０】
具体的に説明すると、リモコン装置１００のＣＰＵ３１は、入眠モードスイッチＳＷ１３が入状態となったとき（時刻ｔ０）から所定時間の経過後（時刻ｔ１）に回路部ＣＲ４１へ制御信号を送信する。すると、回路部ＣＲ４１は、ＣＰＵ３１からの制御信号に応じてトリガ電流のタイミングを変更し、平均電圧の調節を行なう。これにより、光源５１は、徐々に照度が低下していき、時刻ｔ２において完全に消灯するのである。なお、本実施形態に係るリモコン装置１００においては、時刻ｔ２で完全に消灯するのではなく、例えば１０パーセント程度の微小な照度を維持するとした選択も可能である。また、本リモコン装置１００においては、入眠モードスイッチＳＷ１３の入操作（時刻ｔ０）から所定時間の経過後（時刻ｔ１）に光源５１の照度を低下させるとしているが、入眠モードスイッチＳＷ１３の入操作（時刻ｔ０）と同時に照度を低下させるとした選択も可能である。
【００３１】
覚醒モードとは、所定の時刻から光源の照度を徐々に増加させることによって、快適に目覚めに導く調光制御機能をいう。一例として光源５２が覚醒モードに設定されている場合を想定すると、光源５２の照度は、時刻ｔ３から徐々に増加を初めて時刻ｔ４で所定の照度となる（図３（ｂ）参照。）。
【００３２】
具体的に説明すると、リモコン装置１００のＣＰＵ３１は、予め設定された時刻ｔ３に回路部ＣＲ４２へ制御信号を送信する。すると、回路部ＣＲ４２は、ＣＰＵ３１からの制御信号に応じてトリガ電流のタイミングを変更し、平均電圧の調節を行なう。これにより、光源５２は、徐々に照度が増加していき、時刻ｔ４において完全に点灯するのである。
【００３３】
このように、リモコン装置１００は、照度を徐々に低下させることによってユーザーを快適に眠りに導くことができるとともに、照度を徐々に増加させることによってユーザーを快適に目覚めに導くことを可能としている。
【００３４】
しかし、例えば光源５３が照度を変更させることができない仕様の蛍光灯であった場合は、該光源５３を調光制御することは許されない。このような蛍光灯は、電圧を調節すると放電不良を生じるために照度を変更することができず、電圧の調節によって故障が発生する場合もあるためである。従って、光源５３が照度を変更させることができない仕様の蛍光灯である場合、該光源５３は点消灯のみが許容される（図３（ｃ）参照。）。そして、光源５３が点灯又は消灯する際には、照度を徐々に変更させるとした光源５１や光源５２の存在があったとしても、室内の明るさが急変することは避けられない。
【００３５】
そのため、本実施形態に係るリモコン装置１００においては、光源５１・５２・５３毎の設定状況と各光源５１・５２・５３の点灯状況とに基づいて入切制御ならびに調光制御を行ない、入眠時に室内の明るさが急変することを防止するとしたところに技術的な特徴がある。
【００３６】
以下に光源５１・５２・５３毎の設定状況について説明する。ここでは、光源５１と光源５２が照度を変更させることができるＬＥＤ灯や白熱灯であり、光源５３が照度を変更させることができない仕様の蛍光灯であるとして説明を行なう。
【００３７】
まず、切換スイッチＳＷ１５の設定について説明する。
【００３８】
光源５１は、照度を変更させることが可能であるため、該光源５１に対応する切換スイッチＳＷ１５ａは、入切設定又は調光設定のいずれにも設定することが可能である。しかし、本実施形態においては、光源５１を入眠モードとして調光制御をするために、切換スイッチＳＷ１５ａを調光設定としておく必要がある。
【００３９】
光源５２は、照度を変更させることが可能であるため、該光源５２に対応する切換スイッチＳＷ１５ｂは、入切設定又は調光設定のいずれにも設定することが可能である。しかし、本実施形態においては、光源５２を覚醒モードとして調光制御をするために、切換スイッチＳＷ１５ｂを調光設定としておく必要がある。
【００４０】
光源５３は、照度を変更させることが不可能であるため、該光源５３に対応する切換スイッチＳＷ１５ｃは、入切設定としておく必要がある。
【００４１】
次に、選択スイッチＳＷ１２の設定について説明する。
【００４２】
光源５１は、照度を変更させることが可能であるため、該光源５１に対応する選択スイッチＳＷ１２ａは、入眠モード又は覚醒モードのいずれにも設定することが可能である。しかし、本実施形態においては、光源５１を入眠モードとして調光制御をするために、選択スイッチＳＷ１２ａを入眠モードとしておく必要がある。
【００４３】
光源５２は、照度を変更させることが可能であるため、該光源５２に対応する選択スイッチＳＷ１２ｂは、入眠モード又は覚醒モードのいずれにも設定することが可能である。しかし、本実施形態においては、光源５２を覚醒モードとして調光制御をするために、選択スイッチＳＷ１２ｂを覚醒モードとしておく必要がある。
【００４４】
光源５３は、照度を変更させることが不可能であり、切換スイッチＳＷ１５ｃを入切設定としているため、該光源５３に対応する選択スイッチＳＷ１２ｃは、入眠モード又は覚醒モードのいずれに設定しても無効とされる。
【００４５】
そして、以上のような光源５１・５２・５３毎の設定状況と各光源５１・５２・５３の点灯状況とに基づいて以下の入切制御ならびに調光制御が行なわれる。
【００４６】
まず、光源５３が点灯している場合について説明する。図４（ａ）は光源５１の照度変化を示す図であり、図４（ｂ）は光源５２の照度変化を示す図である。そして、図４（ｃ）は光源５３の照度変化を示す図である。
【００４７】
切換スイッチＳＷ１５ｃを入切設定とした光源５３が点灯している場合は、入眠モードスイッチＳＷ１３の入操作（時刻ｔ０）から所定時間の経過後（時刻ｔ１）に該光源５３が消灯される（図４（ｃ）参照。）。このとき、光源５２が点灯していた場合は、該光源５２も消灯される（図４（ｂ）参照。）。
【００４８】
しかし、切換スイッチＳＷ１５ａが調光設定であって選択スイッチＳＷ１２ａを入眠モードとした光源５１については、入眠モードスイッチＳＷ１３の入操作（時刻ｔ０）から所定時間の経過後（時刻ｔ１）に点灯され、照度が最大となる（図４（ａ）参照。）。そして、光源５１は、その照度が徐々に低下していき、時刻ｔ２において完全に消灯する。（図４（ａ）参照。）。
【００４９】
このように、本リモコン装置１００は、切換スイッチＳＷ１５ａを調光設定として選択スイッチＳＷ１２ａを入眠モードとした光源５１の照度を、入眠モードスイッチＳＷ１３の入操作から所定時間の経過後に最大とし、その後に照度を徐々に低下させる。これにより、入眠時に室内の明るさが急変することを防止でき、ユーザーを快適に眠りに導くことが可能となるのである。なお、本リモコン装置１００は、このような入切制御ならびに調光制御を入眠モードスイッチＳＷ１３の入操作と同時に開始することも選択できる。
【００５０】
次に、全ての光源５１・５２・５３が消灯している場合について説明する。図５（ａ）は光源５１の照度変化を示す図であり、図５（ｂ）は光源５２の照度変化を示す図である。そして、図５（ｃ）は光源５３の照度変化を示す図である。
【００５１】
全ての光源５１・５２・５３が消灯している場合は、入眠モードスイッチＳＷ１３の入操作（時刻ｔ０）によっても、切換スイッチＳＷ１５ｂを調光設定として選択スイッチＳＷ１２ｂを覚醒モードとした光源５２や、切換スイッチＳＷ１５ｃを入切設定とした光源５３については点灯されない（図５（ｂ）、図５（ｃ）参照。）。
【００５２】
しかし、切換スイッチＳＷ１５ａを調光設定として選択スイッチＳＷ１２ａを入眠モードとした光源５１は、入眠モードスイッチＳＷ１３の入操作（時刻ｔ０）から所定時間の経過後（時刻ｔ１）に点灯され、照度が最大となる（図５（ａ）参照。）。そして、光源５１は、その照度が徐々に低下していき、時刻ｔ２において完全に消灯する。（図５（ａ）参照。）。
【００５３】
このように、本リモコン装置１００は、切換スイッチＳＷ１５ａを調光設定として選択スイッチＳＷ１２ａを入眠モードとした光源５１の照度を、入眠モードスイッチＳＷ１３の入操作から所定時間の経過後に最大とし、その後に照度を徐々に低下させる。これにより、入眠時に室内の明るさが急変することを防止でき、ユーザーを快適に眠りに導くことが可能となるのである。なお、本リモコン装置１００は、このような入切制御ならびに調光制御を入眠モードスイッチＳＷ１３の入操作と同時に開始することも選択できる。
【００５４】
次に、切換スイッチＳＷ１５ａを調光設定として選択スイッチＳＷ１２ａを入眠モードとした光源５１が消灯しているが、切換スイッチＳＷ１５ｂを調光設定として選択スイッチＳＷ１２ｂを覚醒モードとした光源５２が点灯している場合について説明する。図６（ａ）は光源５１の照度変化を示す図であり、図６（ｂ）は光源５２の照度変化を示す図である。そして、図６（ｃ）は光源５３の照度変化を示す図である。
【００５５】
切換スイッチＳＷ１５ａを調光設定として選択スイッチＳＷ１２ａを入眠モードとした光源５１が消灯しているが、切換スイッチＳＷ１５ｂを調光設定として選択スイッチＳＷ１２ｂを覚醒モードとした光源５２が点灯している場合は、入眠モードスイッチＳＷ１３の入操作（時刻ｔ０）から所定時間の経過後（時刻ｔ１）に該光源５２が消灯される（図６（ｂ）参照。）。また、入眠モードスイッチＳＷ１３の入操作（時刻ｔ０）によっても、切換スイッチＳＷ１５を入切設定とした光源５３については点灯されない（図６（ｃ）参照。）。
【００５６】
しかし、光源５１は、入眠モードスイッチＳＷ１３の入操作（時刻ｔ０）から所定時間の経過後（時刻ｔ１）に点灯され、照度が最大となる（図６（ａ）参照。）。そして、光源５１は、その照度が徐々に低下していき、時刻ｔ２において完全に消灯する。（図６（ａ）参照。）。
【００５７】
このように、本リモコン装置１００は、切換スイッチＳＷ１５ａを調光設定として選択スイッチＳＷ１２ａを入眠モードとした光源５１の照度を、入眠モードスイッチＳＷ１３の入操作から所定時間の経過後に最大とし、その後に照度を徐々に低下させる。これにより、入眠時に室内の明るさが急変することを防止でき、ユーザーを快適に眠りに導くことが可能となるのである。なお、本リモコン装置１００は、このような入切制御ならびに調光制御を入眠モードスイッチＳＷ１３の入操作と同時に開始することも選択できる。
【００５８】
以降に、光源５１・５２・５３毎の設定状況が異なる場合の入切制御ならびに調光制御について説明する。ここでは、光源５１・５２・５３は照度を変更させることができるＬＥＤ灯や白熱灯であるとして説明を行なう。
【００５９】
まず、切換スイッチＳＷ１５ならびに選択スイッチＳＷ１２の設定について説明する。
【００６０】
光源５１は、照度を変更させることが可能であるため、該光源５１に対応する切換スイッチＳＷ１５ａは、入切設定又は調光設定のいずれにも設定することが可能である。また、光源５１に対応する選択スイッチＳＷ１２ａは、入眠モード又は覚醒モードのいずれにも設定することが可能である。しかし、本実施形態においては、光源５１を入眠モードとして調光制御をするために、切換スイッチＳＷ１５ａを調光設定とし、選択スイッチＳＷ１２ａを入眠モードとしておく必要がある。
【００６１】
光源５２は、照度を変更させることが可能であるため、該光源５２に対応する切換スイッチＳＷ１５ｂは、入切設定又は調光設定のいずれにも設定することが可能である。また、光源５２に対応する選択スイッチＳＷ１２ｂは、入眠モード又は覚醒モードのいずれにも設定することが可能である。しかし、本実施形態においては、光源５２を入眠モードとして調光制御をするために、切換スイッチＳＷ１５ｂを調光設定とし、選択スイッチＳＷ１２ｂを入眠モードとしておく必要がある。
【００６２】
光源５３は、照度を変更させることが可能であるため、該光源５３に対応する切換スイッチＳＷ１５ｃは、入切設定又は調光設定のいずれにも設定することが可能である。また、光源５３に対応する選択スイッチＳＷ１２ｃは、入眠モード又は覚醒モードのいずれにも設定することが可能である。しかし、本実施形態においては、光源５３を覚醒モードとして調光制御をするために、切換スイッチＳＷ１５ｃを調光設定とし、選択スイッチＳＷ１２ｃを覚醒モードとしておく必要がある。
【００６３】
そして、以上のような光源５１・５２・５３毎の設定状況と各光源５１・５２・５３の点灯状況とに基づいて以下の入切制御ならびに調光制御が行なわれる。
【００６４】
まず、切換スイッチＳＷ１５ａを調光設定として選択スイッチＳＷ１２ａを入眠モードとした光源５１と切換スイッチＳＷ１５ｃを調光設定として選択スイッチＳＷ１２ｃを覚醒モードとした光源５３がそれぞれ点灯している場合について説明する。図７（ａ）は光源５１の照度変化を示す図であり、図７（ｂ）は光源５２の照度変化を示す図である。そして、図７（ｃ）は光源５３の照度変化を示す図である。
【００６５】
切換スイッチＳＷ１５ａを調光設定として選択スイッチＳＷ１２ａを入眠モードとした光源５１と切換スイッチＳＷ１５ｃを調光設定として選択スイッチＳＷ１２ｃを覚醒モードとした光源５３がそれぞれ点灯している場合は、入眠モードスイッチＳＷ１３の入操作（時刻ｔ０）から所定時間の経過後（時刻ｔ１）に該光源５３が消灯される（図７（ｃ）参照。）。また、入眠モードスイッチＳＷ１３の入操作（時刻ｔ０）によっても、切換スイッチＳＷ１５ｂを調光設定として選択スイッチＳＷ１２ｂを入眠モードとした光源５２については点灯されない（図７（ｂ）参照。）。
【００６６】
しかし、光源５１は、入眠モードスイッチＳＷ１３の入操作（時刻ｔ０）から所定時間が経過するまで（時刻ｔ１）、該光源５１の照度はそのまま維持される（図７（ａ）参照。）。そして、光源５１は、その照度が徐々に低下していき、時刻ｔ２において完全に消灯する。（図７（ａ）参照。）。
【００６７】
このように、本リモコン装置１００は、切換スイッチＳＷ１５ａを調光設定として選択スイッチＳＷ１２ａを入眠モードとした光源５１の照度を、入眠モードスイッチＳＷ１３の入操作から所定時間が経過するまでそのまま維持し、その後に照度を徐々に低下させる。これにより、入眠時に室内の明るさが急変することを防止でき、ユーザーを快適に眠りに導くことが可能となるのである。なお、本リモコン装置１００は、このような入切制御ならびに調光制御を入眠モードスイッチＳＷ１３の入操作と同時に開始することも選択できる。
【００６８】
次に、切換スイッチＳＷ１５ａを調光設定として選択スイッチＳＷ１２ａを入眠モードとした光源５１と切換スイッチＳＷ１５ｂを調光設定として選択スイッチＳＷ１２ｂを入眠モードとした光源５２のみが点灯している場合について説明する。図８（ａ）は光源５１の照度変化を示す図であり、図８（ｂ）は光源５２の照度変化を示す図である。そして、図８（ｃ）は光源５３の照度変化を示す図である。
【００６９】
切換スイッチＳＷ１５ａを調光設定として選択スイッチＳＷ１２ａを入眠モードとした光源５１と切換スイッチＳＷ１５ｂを調光設定として選択スイッチＳＷ１２ｂを入眠モードとした光源５２のみが点灯している場合は、入眠モードスイッチＳＷ１３の入操作（時刻ｔ０）によっても、切換スイッチＳＷ１５ｃを調光設定として選択スイッチＳＷ１２ｃを覚醒モードとした光源５３については点灯されない（図８（ｃ）参照。）。
【００７０】
しかし、光源５１ならびに光源５２は、入眠モードスイッチＳＷ１３の入操作（時刻ｔ０）から所定時間が経過するまで（時刻ｔ１）、該光源５１・５２の照度はそのまま維持される（図８（ａ）、図８（ｂ）参照。）。そして、光源５１ならびに光源５２は、その照度が徐々に低下していき、時刻ｔ２において完全に消灯する。（図８（ａ）、図８（ｂ）参照。）。
【００７１】
このように、本リモコン装置１００は、切換スイッチＳＷ１５ａを調光設定として選択スイッチＳＷ１２ａを入眠モードとした光源５１と切換スイッチＳＷ１５ｂを調光設定として選択スイッチＳＷ１２ｂを入眠モードとした光源５２の照度を、入眠モードスイッチＳＷ１３の入操作から所定時間が経過するまでそのまま維持し、その後に照度を徐々に低下させる。これにより、入眠時に室内の明るさが急変することを防止でき、ユーザーを快適に眠りに導くことが可能となるのである。なお、本リモコン装置１００は、このような入切制御ならびに調光制御を入眠モードスイッチＳＷ１３の入操作と同時に開始することも選択できる。
【００７２】
以降に、光源５１・５２・５３毎の設定状況が異なる場合の入切制御ならびに調光制御について説明する。ここでは、光源５１・５２・５３は照度を変更させることができるＬＥＤ灯や白熱灯であるとして説明を行なう。
【００７３】
まず、切換スイッチＳＷ１５ならびに選択スイッチＳＷ１２の設定について説明する。
【００７４】
光源５１は、照度を変更させることが可能であるため、該光源５１に対応する切換スイッチＳＷ１５ａは、入切設定又は調光設定のいずれにも設定することが可能である。また、光源５１に対応する選択スイッチＳＷ１２ａは、入眠モード又は覚醒モードのいずれにも設定することが可能である。しかし、本実施形態においては、光源５１を覚醒モードとして調光制御をするために、切換スイッチＳＷ１５ａを調光設定とし、選択スイッチＳＷ１２ａを覚醒モードとしておく必要がある。
【００７５】
光源５２は、照度を変更させることが可能であるため、該光源５２に対応する切換スイッチＳＷ１５ｂは、入切設定又は調光設定のいずれにも設定することが可能である。また、光源５２に対応する選択スイッチＳＷ１２ｂは、入眠モード又は覚醒モードのいずれにも設定することが可能である。しかし、本実施形態においては、光源５２を覚醒モードとして調光制御をするために、切換スイッチＳＷ１５ｂを調光設定とし、選択スイッチＳＷ１２ｂを覚醒モードとしておく必要がある。
【００７６】
光源５３は、照度を変更させることが可能であるため、該光源５３に対応する切換スイッチＳＷ１５ｃは、入切設定又は調光設定のいずれにも設定することが可能である。また、光源５３に対応する選択スイッチＳＷ１２ｃは、入眠モード又は覚醒モードのいずれにも設定することが可能である。しかし、本実施形態においては、光源５３を覚醒モードとして調光制御をするために、切換スイッチＳＷ１５ｃを調光設定とし、選択スイッチＳＷ１２ｃを覚醒モードとしておく必要がある。
【００７７】
そして、以上のような光源５１・５２・５３毎の設定状況と各光源５１・５２・５３の点灯状況とに基づいて以下の入切制御ならびに調光制御が行なわれる。
【００７８】
切換スイッチＳＷ１５を調光設定とした全ての光源５１・５２・５３において選択スイッチＳＷ１２を覚醒モードとしている場合について説明する。図９（ａ）は光源５１の照度変化を示す図であり、図９（ｂ）は光源５２の照度変化を示す図である。そして、図９（ｃ）は光源５３の照度変化を示す図である。
【００７９】
切換スイッチＳＷ１５を調光設定とした全ての光源５１・５２・５３において選択スイッチＳＷ１２を覚醒モードとしている場合は、入眠モードスイッチＳＷ１３の入操作によっても光源５１・５２・５３の照度はそのまま維持される（図９（ａ）、図９（ｂ）、図９（ｃ）参照。）。
【００８０】
そして、光源５１・５２・５３は、入眠モードスイッチＳＷ１３が入状態となったときから所定時間の経過後（時刻ｔ２）に消灯される（図９（ａ）、図９（ｂ）、図９（ｃ）参照。）。
【００８１】
このように、本リモコン装置１００は、入眠モードスイッチＳＷ１３の入操作から所定の時間が経過するまで、光源５１・５２・５３の照度を一定に維持できる。これにより、入眠時に室内の明るさが急変することを防止でき、ユーザーを快適に眠りに導くことが可能となるのである。なお、本リモコン装置１００は、このような入切制御を入眠モードスイッチＳＷ１３の入操作と同時に開始することも選択できる。
【００８２】
以降に、光源５１・５２・５３毎の設定状況が異なる場合の入切制御ならびに調光制御について説明する。ここでは、光源５１・５２・５３は照度を変更させることができるＬＥＤ灯や白熱灯であるとして説明を行なう。
【００８３】
まず、切換スイッチＳＷ１５ならびに選択スイッチＳＷ１２の設定について説明する。
【００８４】
光源５１は、照度を変更させることが可能であるため、該光源５１に対応する切換スイッチＳＷ１５ａは、入切設定又は調光設定のいずれにも設定することが可能である。また、光源５１に対応する選択スイッチＳＷ１２ａは、入眠モード又は覚醒モードのいずれにも設定することが可能である。しかし、本実施形態においては、光源５１を入切制御とするために、切換スイッチＳＷ１５ａを入切設定としておく必要がある。なお、切換スイッチＳＷ１５ａを入切設定としているため、選択スイッチＳＷ１２ａによる入眠モード又は覚醒モードの選択は無効とされる。
【００８５】
光源５２は、照度を変更させることが可能であるため、該光源５２に対応する切換スイッチＳＷ１５ｂは、入切設定又は調光設定のいずれにも設定することが可能である。また、光源５２に対応する選択スイッチＳＷ１２ｂは、入眠モード又は覚醒モードのいずれにも設定することが可能である。しかし、本実施形態においては、光源５２を入切制御とするために、切換スイッチＳＷ１５ｂを入切設定としておく必要がある。なお、切換スイッチＳＷ１５ｂを入切設定としているため、選択スイッチＳＷ１２ｂによる入眠モード又は覚醒モードの選択は無効とされる。
【００８６】
光源５３は、照度を変更させることが可能であるため、該光源５３に対応する切換スイッチＳＷ１５ｃは、入切設定又は調光設定のいずれにも設定することが可能である。また、光源５３に対応する選択スイッチＳＷ１２ｃは、入眠モード又は覚醒モードのいずれにも設定することが可能である。しかし、本実施形態においては、光源５３を入切制御とするために、切換スイッチＳＷ１５ｃを入切設定としておく必要がある。なお、切換スイッチＳＷ１５ｃを入切設定としているため、選択スイッチＳＷ１２ｃによる入眠モード又は覚醒モードの選択は無効とされる。
【００８７】
そして、以上のような光源５１・５２・５３毎の設定状況と各光源５１・５２・５３の点灯状況とに基づいて以下の入切制御ならびに調光制御が行なわれる。
【００８８】
全ての光源５１・５２・５３において切換スイッチＳＷ１５を入切設定としている場合について説明する。図１０（ａ）は光源５１の照度変化を示す図であり、図１０（ｂ）は光源５２の照度変化を示す図である。そして、図１０（ｃ）は光源５３の照度変化を示す図である。
【００８９】
全ての光源５１・５２・５３において切換スイッチＳＷ１５を入切設定としている場合は、入眠モードスイッチＳＷ１３の入操作によっても光源５１・５２・５３の照度はそのまま維持される（図１０（ａ）、図１０（ｂ）、図１０（ｃ）参照。）。
【００９０】
そして、光源５１・５２・５３は、入眠モードスイッチＳＷ１３が入状態となったときから所定時間の経過後（時刻ｔ２）に消灯される（図１０（ａ）、図１０（ｂ）、図１０（ｃ）参照。）。
【００９１】
このように、本リモコン装置１００は、入眠モードスイッチＳＷ１３の入操作から所定の時間が経過するまで、光源５１・５２・５３の照度を一定に維持できる。これにより、入眠時に室内の明るさが急変することを防止でき、ユーザーを快適に眠りに導くことが可能となるのである。なお、本リモコン装置１００は、このような入切制御を入眠モードスイッチＳＷ１３の入操作と同時に開始することも選択できる。
【符号の説明】
【００９２】
１００      リモコン装置
２          インターフェイス部
３          制御部
３１        ＣＰＵ
３１Ｔ      計時機能部
３２        ＲＡＭ
３３        ＲＯＭ
５１        光源
５２        光源
５３        光源
ＳＷ１１    入切スイッチ
ＳＷ１２    選択スイッチ
ＳＷ１３    入眠モードスイッチ
ＳＷ１４    覚醒モードスイッチ
ＳＷ１５    切換スイッチ
ＣＲ４１    回路部
ＣＲ４２    回路部
ＣＲ４３    回路部
【図１】
0005517298.tif 000002
【図２】
0005517298.tif 000003
【図３】
0005517298.tif 000004
【図４】
0005517298.tif 000005
【図５】
0005517298.tif 000006
【図６】
0005517298.tif 000007
【図７】
0005517298.tif 000008
【図８】
0005517298.tif 000009
【図９】
0005517298.tif 000010
【図１０】
0005517298.tif 000011